(57)【要約】      （修正有）【課題】極薄の長尺ストレッチフィルムの巻体で、使用時に、巻体から簡単に剥がして引き出すことができる包装用ストレッチフィルムの巻体とその巻き取り製造方法を提供する。【解決手段】極薄の長尺ストレッチフィルム１４がロール状に巻かれてなる包装用ストレッチフィルムの巻体１１であって、積層されて巻層を形成するフィルム同士の間に前記長尺ストレッチフィルムの長手方向に連続している空気層が前記長尺ストレッチフィルムの横手方向で複数、あるいは、前記長手方向で断続的に形成されている空気層が前記長尺ストレッチフィルムの横手方向で複数存在している。極薄の長尺ストレッチフィルムをロール状に巻き取る包装用ストレッチフィルムの巻体。【選択図】図３
2019069801.tif 000002
【特許請求の範囲】
【請求項１】
極薄の長尺ストレッチフィルムがロール状に巻かれてなる包装用ストレッチフィルムの巻体であって、積層されて巻層を形成するフィルム同士の間に前記長尺ストレッチフィルムの長手方向に連続している空気層が前記長尺ストレッチフィルムの横手方向で複数、あるいは、前記長手方向で断続的に形成されている空気層が前記長尺ストレッチフィルムの横手方向で複数存在している包装用ストレッチフィルムの巻体。
【請求項２】
前記空気層は、前記長尺ストレッチフィルムが、その長手方向に連続して、あるいは、前記長手方向に断続的に、肉厚の異なる部分を、前記長尺ストレッチフィルムの横手方向で複数備えていることで形成されている請求項１記載の包装用ストレッチフィルムの巻体。
【請求項３】
極薄の長尺ストレッチフィルムをロール状に巻き取る包装用ストレッチフィルムの巻体の巻き取り製造方法であって、
ロール状への巻き取りが行われる前の長尺ストレッチフィルムに対して前記長尺ストレッチフィルムの長手方向に連続している肉厚の異なる部分を前記長尺フィルムの横手方向に複数、あるいは、前記長手方向に断続して形成される肉厚の異なる部分を前記長尺ストレッチフィルムの横手方向に複数成形し、これを断面積比で１．２〜６倍に延伸させてロール状に巻き取ることで、積層されて巻層を形成するフィルム同士の間に、前記長尺ストレッチフィルムの長手方向に連続している空気層を前記長尺ストレッチフィルムの横手方向で複数、あるいは、前記長手方向で断続的に形成されている空気層を前記長尺ストレッチフィルムの横手方向で複数存在させる
包装用ストレッチフィルムの巻体の巻き取り製造方法。
【請求項４】
前記巻き取りが行われる前の長尺ストレッチフィルムに対して前記長尺ストレッチフィルムの長手方向に連続している凹凸部を前記長尺ストレッチフィルムの横手方向に複数形成し、これを断面積比で１．２〜６倍に延伸させる
請求項３記載の包装用ストレッチフィルムの巻体の巻き取り製造方法。
【請求項５】
前記巻き取りが行われる前の長尺ストレッチフィルムに対してエンボス加工を施すことにより、前記長手方向に肉厚の異なる部分を断続して、前記長尺ストレッチフィルムの横手方向に複数成形し、これを断面積比で１．２〜６倍に延伸させる
請求項３記載の包装用ストレッチフィルムの巻体の巻き取り製造方法。
【請求項６】
前記巻き取りが行われる前の長尺ストレッチフィルムに対して所定形状の押型を押圧することで、前記長尺ストレッチフィルムの長手方向に肉厚の異なる部分を断続して、前記長尺フィルムの横手方向に複数成形し、これを断面積比で１．２〜６倍に延伸させる
請求項３記載の包装用ストレッチフィルムの巻体の巻き取り製造方法。
【請求項７】
前記巻き取りが行われる前の長尺ストレッチフィルムに対して部分的な延伸加工を施しながら前記長尺ストレッチフィルムの長手方向に連続している肉厚の異なる部分を、前記長尺ストレッチフィルムの横手方向に複数形成し、これを断面積比で１．２〜６倍に延伸させる
請求項３記載の包装用ストレッチフィルムの巻体の巻き取り製造方法。
【請求項８】
前記巻き取りが行われる前の長尺ストレッチフィルムに対して部分的な延伸加工を施しながら前記長尺フィルムの長手方向に連続している肉厚の異なる部分を、前記長尺フィルムの横手方向に複数成形する工程は、
それぞれ外周突条部と外周溝条部とを中心軸が伸びる方向で交互に備えていて前記中心軸を中心にして回動する一対の円筒状延伸ローラが、一方の前記円筒状延伸ローラの前記外周突条部が、他方の前記円筒状延伸ローラの前記外周溝条部に噛みあう構造で配置されてなる延伸ローラに対して、
前記巻き取りが行われる前の長尺ストレッチフィルムが前記長手方向で挿通されることで行われる
請求項７記載の包装用ストレッチフィルムの巻体の巻き取り製造方法。
【請求項９】
前記一対の円筒状延伸ローラは、前記巻き取りが行われる前の長尺ストレッチフィルムが長手方向に挿通していく方向において、上流側と、下流側とに配置され、下流側の前記円筒状延伸ローラの方が、上流側の前記円筒状延伸ローラよりも高い周速度で回転する
請求項８記載の包装用ストレッチフィルムの巻体の巻き取り製造方法。
【発明の詳細な説明】
【技術分野】
【０００１】
この発明は、包装用ストレッチフィルムの巻体とその巻き取り製造方法に関する。特に、極薄の長尺ストレッチフィルムの巻体で、使用時に、巻体から簡単に剥がして引き出すことができる包装用ストレッチフィルムの巻体とその巻き取り製造方法に関する。
【背景技術】
【０００２】
物品などの搬送時の荷崩れ防止や、型崩れ防止、あるいは物品などの保護や、防水などの目的で、物品などに巻きつけて当該物品などを梱包、包装する包装用ストレッチフィルムが従来から知られている（特許文献１）。
【０００３】
包装用ストレッチフィルムは、合成樹脂を６〜３０μｍ程度の厚み（肉厚）に製膜化した長尺フィルムである。肉厚６〜３０μｍ程度の極薄で、長尺になる長手方向の長さが３００ｍ〜５００ｍ程度、長手方向に直交する方向である横手方向の大きさ、すなわち、幅が３００ｍｍ〜５００ｍｍ程度であるのが一般的である。
【０００４】
製造方法には、ブロー成型（インフレーション成膜法）、Ｔダイ成型（キャストフィルム成型）などが使用される。また、これらの方法で製膜したフィルムを二次加工で延伸させ、薄肉化、強靭化させたフィルムであるプレストレッチ加工フィルムとする製法もある。
【０００５】
このような長尺フィルムが図１、図２図示のように、筒状の巻芯２に巻き付けられて包装用ストレッチフィルムの巻体１として市場に提供されている。筒状の巻芯としては中空で筒状の紙管やプラスチック管などが採用され、その外径の大きさは一般的に５０〜７５ｍｍ程度である。筒状の巻芯２に巻き付けた包装用ストレッチフィルムの巻体１の巻層３の厚さは、通常、最小でも１０ｍｍ程度になる。
【０００６】
図２図示のように、包装用ストレッチフィルムの巻体１から包装用ストレッチフィルム４を剥がし、引き出して使用する際には、長手方向における先端側５を固定的につかんで、テンションをかけて伸ばしながら（延伸しながら）引き出して物品に巻きつけていく。包装用ストレッチフィルムの表面は粘着性があり、テンションをかけながら巻き付けていくことにより物品が固定される。テンションをかけて伸ばしながら（延伸しながら）物品等に巻きつけることで物品等の外周に積層される包装用ストレッチフィルムの粘着性（物品等には粘着しない）により、ばらけず、伸ばした分、その残存張力で、荷崩れ防止、等の機能を発揮できる。
【０００７】
本願出願人も、巻芯の無い包装用ストレッチフィルムの巻体とその製造方法を提案したことがある（特許文献２、３）。保管中の収縮変形や輸送時や取扱い時の変形を無くし、また、嵩張らずに輸送コストを筒状の巻芯に巻き付けられている形態の包装用ストレッチフィルム巻体と同等に抑えることを目的にしたものであった。
【０００８】
包装用ストレッチフィルムの巻体は、作業者が手でフィルムを持って延伸しながら物品などに巻きつける手巻き作業での使用や、ストレッチ包装機などの機械によって延伸しながら物品などに巻きつける機械巻き作業での使用に供される。
【０００９】
手巻き作業に供される包装用ストレッチフィルムの巻体は、肉厚６〜２５μｍ、幅３００ｍｍ〜５００ｍｍ程度の長尺フィルムであることが一般的である。
【００１０】
機械巻き作業に供される包装用ストレッチフィルムの巻体は、巻き付けながら大きくは延伸させないコンベンショナルタイプの場合、肉厚１２〜２０μｍ、幅５００ｍｍ程度の長尺フィルム、巻き付ける前に大きく延伸させるプレストレッチタイプの場合、肉厚２０〜３０μｍ、幅５００ｍｍ程度の長尺フィルムであることが一般的である。
【先行技術文献】
【特許文献】
【００１１】
【特許文献１】実開昭６３−１２３５６３号公報
【特許文献２】特開２００４−１３１１６９号公報
【特許文献３】特開２００４−１３７０７３号公報
【特許文献４】特開平３−２２６４１４号公報
【非特許文献】
【００１２】
【非特許文献１】「手結束材、手で結ぶソフトロープを考える」（鈴木健一）「包装技術  ＪＰＩ  Ｊｏｕｒｎａｌ  ２０１６年４月  公益社団法人日本包装技術協会  ５０頁〜５５頁」
【発明の概要】
【発明が解決しようとする課題】
【００１３】
包装用ストレッチフィルムは、主原料として使用される直鎖状低密度ポリエチレン樹脂（ＬＬＤＰＥ）の技術開発、等と、伸びやすく、成型性に優れていることなどから、ここ２０〜２５年の間に一気に汎用化された。
【００１４】
更に、ＬＬＤＰＥ樹脂は、メタロセン触媒の開発により、ｍ−ＬＬＤＰＥとも呼ばれる、更なる特徴を持った樹脂としてこの技術分野で使用されるようになり、包装用ストレッチフィルムが市場で多く使用されるようになっている。
【００１５】
このような包装用ストレッチフィルムは、非常に伸びやすい延伸性、優れた強靭性（強度性）、裂けづらい性質（優れた引き裂き強度、パンクチャ―強度）を有していることから、その薄肉化が進んでいる。
【００１６】
特に、急激に使用量が増加したことから産業廃棄物としての処理の問題や、環境対策、更には、製造コストの観点などから近年では薄肉化が一層進んでいる。
【００１７】
一方、フィルムの薄肉化が進むと、ストレッチフィルムは粘着性を有するため剥がしにくく、剥がして引き出すことが難しくなる。
【００１８】
また、フィルムの薄肉化によって剥がれづらいだけでなく、筒状の巻芯２に巻き付けたロール状の包装用ストレッチフィルムの巻体の側縁部の傷、ダメージなどにより、引き出して使用する際に破断しやすくなる。
【００１９】
また、筒状の巻き芯に巻きつけたロール状の包装用ストレッチフィルムの巻体の場合、中心となる巻き芯の径（５０〜７５ｍｍ程度）に比較して、幅が３００ｍｍ〜５００ｍｍと大きいので、フィルムの薄肉化が進むと、完全に引き出すのに時間を要するようになる。
【００２０】
そこで、この発明は、極薄の長尺ストレッチフィルムの巻体で、使用時に、巻体から簡単に剥がして引き出すことができる包装用ストレッチフィルムの巻体とその巻き取り製造方法を提案することを目的にしている。
【課題を解決するための手段】
【００２１】
［１］
極薄の長尺ストレッチフィルムがロール状に巻かれてなる包装用ストレッチフィルムの巻体であって、積層されて巻層を形成するストレッチフィルム同士の間に前記長尺ストレッチフィルムの長手方向に連続している空気層が前記長尺ストレッチフィルムの横手方向で複数、あるいは、前記長手方向で断続的に形成されている空気層が前記長尺ストレッチフィルムの横手方向で複数存在している包装用ストレッチフィルムの巻体。
【００２２】
［２］
前記空気層は、前記長尺ストレッチフィルムが、その長手方向に連続して、あるいは、前記長手方向に断続的に、肉厚の異なる部分を、前記長尺ストレッチフィルムの横手方向で複数備えていることで形成されている［１］の包装用ストレッチフィルムの巻体。
【００２３】
［３］
極薄の長尺ストレッチフィルムをロール状に巻き取る包装用ストレッチフィルムの巻体の巻き取り製造方法であって、
ロール状への巻き取りが行われる前の長尺ストレッチフィルムに対して前記長尺ストレッチフィルムの長手方向に連続している肉厚の異なる部分を前記長尺ストレッチフィルムの横手方向に複数、あるいは、前記長手方向に断続して形成される肉厚の異なる部分を前記長尺ストレッチフィルムの横手方向に複数成形し、これを断面積比で１．２〜６倍に延伸させてロール状に巻き取ることで、積層されて巻層を形成するストレッチフィルム同士の間に、前記長尺ストレッチフィルムの長手方向に連続している空気層を前記長尺フィルムの横手方向で複数、あるいは、前記長手方向で断続的に形成されている空気層を前記長尺ストレッチフィルムの横手方向で複数存在させる
包装用ストレッチフィルムの巻体の巻き取り製造方法。
【００２４】
［４］
前記巻き取りが行われる前の長尺ストレッチフィルムに対して前記長尺ストレッチフィルムの長手方向に連続している凹凸部を前記長尺ストレッチフィルムの横手方向に複数形成し、これを断面積比で１．２〜６倍に延伸させる
［３］の包装用ストレッチフィルムの巻体の巻き取り製造方法。
【００２５】
［５］
前記巻き取りが行われる前の長尺ストレッチフィルムに対してエンボス加工を施すことにより、前記長手方向に肉厚の異なる部分を断続して、前記長尺ストレッチフィルムの横手方向に複数成形し、これを断面積比で１．２〜６倍に延伸させる
［３］の包装用ストレッチフィルムの巻体の巻き取り製造方法。
【００２６】
［６］
前記巻き取りが行われる前の長尺ストレッチフィルムに対して所定形状の押型を押圧することで、前記長尺ストレッチフィルムの長手方向に肉厚の異なる部分を断続して、前記長尺フィルムの横手方向に複数成形し、これを断面積比で１．２〜６倍に延伸させる
［３］の包装用ストレッチフィルムの巻体の巻き取り製造方法。
【００２７】
［７］
前記巻き取りが行われる前の長尺ストレッチフィルムに対して部分的な延伸加工を施しながら前記長尺ストレッチフィルムの長手方向に連続している肉厚の異なる部分を、前記長尺ストレッチフィルムの横手方向に複数形成し、これを断面積比で１．２〜６倍に延伸させる
［３］の包装用ストレッチフィルムの巻体の巻き取り製造方法。
【００２８】
［８］
前記巻き取りが行われる前の長尺ストレッチフィルムに対して部分的な延伸加工を施しながら前記長尺ストレッチフィルムの長手方向に連続している肉厚の異なる部分を、前記長尺ストレッチフィルムの横手方向に複数成形する工程は、
それぞれ外周突条部と外周溝条部とを中心軸が伸びる方向で交互に備えていて前記中心軸を中心にして回動する一対の円筒状延伸ローラが、一方の前記円筒状延伸ローラの前記外周突条部が、他方の前記円筒状延伸ローラの前記外周溝条部に噛みあう構造で配置されてなる延伸ローラに対して、
前記巻き取りが行われる前の長尺ストレッチフィルムが前記長手方向で挿通されることで行われる
［７］の包装用ストレッチフィルムの巻体の巻き取り製造方法。
【００２９】
［９］
前記一対の円筒状延伸ローラは、前記巻き取りが行われる前の長尺ストレッチフィルムが長手方向に挿通していく方向において、上流側と、下流側とに配置され、下流側の前記円筒状延伸ローラの方が、上流側の前記円筒状延伸ローラよりも高い周速度で回転する
［８］の包装用ストレッチフィルムの巻体の巻き取り製造方法。
【発明の効果】
【００３０】
この発明によれば、極薄の長尺ストレッチフィルムの巻体で、使用時に、巻体から簡単に剥がして引き出すことができる包装用ストレッチフィルムの巻体とその巻き取り製造方法を提供することができる。
【図面の簡単な説明】
【００３１】
【図１】従来の包装用ストレッチフィルムの巻体の一例を説明する正面図。
【図２】従来の包装用ストレッチフィルムの巻体からフィルムを剥がして、引き出して使用する状態を説明する一部を省略した斜視図。
【図３】本発明の一実施形態の包装用ストレッチフィルムの巻体の一例を説明する正面図。
【図４】本発明の一実施形態の包装用ストレッチフィルムの巻体からフィルムを剥がして、引き出して使用する状態を説明する一部を省略した斜視図。
【図５】本発明の一実施形態の包装用ストレッチフィルムの巻体において、積層されて巻層を形成している長尺ストレッチフィルムの外周（外径）側の構造を説明する一部を省略した概略断面図。
【図６】本発明の包装用ストレッチフィルムの巻体の巻き取り製造方法の一実施形態の工程を説明する概念図であって（ａ）は平面図、（ｂ）はこれに対応している側面図。
【図７】本発明の包装用ストレッチフィルムの巻体の巻き取り製造方法の一実施形態において延伸工程で採用される一対の延伸ロールの一実施形態を一部を省略して説明する図。
【図８】（ａ）、（ｂ）、（ｃ）は、本発明の包装用ストレッチフィルムの巻体の巻き取り製造方法の一実施形態において延伸工程がエンボス加工で行われる場合の一対の延伸ロールの一実施形態を一部を省略して説明する図。
【図９】（ａ）、（ｂ）は、本発明の包装用ストレッチフィルムの巻体の巻き取り製造方法の一実施形態において延伸工程がエンボスギヤ加工で行われる場合の一対の延伸ロールの一実施形態を一部を省略して説明する図。
【発明を実施するための形態】
【００３２】
（包装用ストレッチフィルムの巻体）
図３〜図５を用いてこの実施形態の包装用ストレッチフィルムの巻体１１の一例を説明する。
【００３３】
この実施形態の包装用ストレッチフィルムの巻体１１は、図３、図４図示のように、極薄（例えば、肉厚６〜３０μｍ程度）で、長尺になる長手方向の長さが３００ｍ〜５００ｍ程度、長手方向に直交する方向である横手方向の大きさ、すなわち、幅が３００ｍｍ〜５００ｍｍ程度の、長尺ストレッチフィルム１４がロール状に巻かれてなるものである。
【００３４】
図３、図４図示の実施形態では、円筒状の中空の巻き芯２に長尺ストレッチフィルム１４が巻き取られている。
【００３５】
図３、図４図示の包装用ストレッチフィルムの巻体１１は、長尺ストレッチフィルム１４が、その長手方向に連続して、肉厚の異なる部分を、長尺フィルム１４の横手方向に複数備えていることで、積層されて巻層１３を形成する長尺ストレッチフィルム１４同士の間に、長尺ストレッチフィルム１４の長手方向に連続している空気層１７ａ、１７ｂ、１７ｃ、１７ｄが、長尺ストレッチフィルム１４の横手方向で複数存在しているものである。
【００３６】
図５は、積層されて巻層１３を形成している長尺ストレッチフィルム１４の外周（外径）側の構造を説明する一部を省略した断面図である。図５において上側が巻体１１の外径側、下側が巻体１１の内径側になる。
【００３７】
積層されて巻層１３を形成している長尺ストレッチフィルム１４（図３）において一番外側に巻かれている長尺ストレッチフィルム１４ａは、その横手方向における端縁部である側縁部１８ａから横手方向で内側に向かうにしたがって、薄肉部１５ｇ、厚肉部１５ｃ、薄肉部１５ｆ、厚肉部１５ｂ、薄肉部１５ｅ、厚肉部１５ａ、薄肉部１５ｄを備えている。
【００３８】
同様に、積層されて巻層１３を形成している長尺ストレッチフィルム１４（図３）において径方向で長尺ストレッチフィルム１４ａの内径側になっている長尺ストレッチフィルム１４ｂは、その横手方向における端縁部である側縁部１８ｂから横手方向で内側に向かうにしたがって、薄肉部１６ｇ、厚肉部１６ｃ、薄肉部１６ｆ、厚肉部１６ｂ、薄肉部１６ｅ、厚肉部１６ａ、薄肉部１６ｄを備えている。
【００３９】
すなわち、巻き芯２にロール状に巻き取られている長尺ストレッチフィルム１４は、その長手方向に連続している厚肉部と、薄肉部とを、長尺ストレッチフィルム１４の横手方向に交互に備えている。
【００４０】
この結果、長尺ストレッチフィルム１４が巻き芯２に巻き取られる、等してロール状の巻き体となったときには、積層されて巻層１３を形成する長尺ストレッチフィルム１４同士の間に長尺ストレッチフィルム１４の長手方向に連続している空気層１７ａ、１７ｂ、１７ｃ、１７ｄが、長尺ストレッチフィルム１４の横手方向で存在する構造になっている。
【００４１】
この結果、図４図示のように、長手方向における先端側５を固定的につかんで、包装用ストレッチフィルムの巻体１１から包装用ストレッチフィルム１４を剥がし、引き出して使用する際、一番外側（外周側）のフィルム１４ａと、それより一層内周側のフィルム１４ｂとの間に空気層１７ａ、１７ｂ、１７ｃ、１７ｄが存在していることから、フィルム１４ａを剥がしやすく、引き出しやすくなっている。
【００４２】
なお、この実施形態では、  長尺ストレッチフィルム１４が、その長手方向に連続している、肉厚の異なる部分（厚肉部１５ａ、等と、薄肉部１５ｄ、等）を長尺ストレッチフィルム１４の横手方向に複数備えていることで、積層されて巻層１３を形成するストレッチフィルム同士の間に長尺ストレッチフィルム１４の長手方向に連続している空気層１７ａ、等が、長尺ストレッチフィルム１４の横手方向で複数形成されている構造で説明した。
【００４３】
図示していないが、このような構造に替えて、長尺ストレッチフィルム１４が、その長手方向に断続して肉厚の異なる部分を、長尺ストレッチフィルム１４の横手方向に複数備えていることで、積層されて巻層１３を形成するストレッチフィルム同士の間に、長尺ストレッチフィルム１４の長手方向に断続的に形成されている空気層が、長尺ストレッチフィルム１４の横手方向で複数形成されている構造にしても、図４図示のように、長手方向における先端側５を固定的につかんで、包装用ストレッチフィルムの巻体１１から包装用ストレッチフィルム１４を剥がし、引き出して使用する際、一番外側（外周側）のフィルムと、それより一層内周側のフィルムとの間に空気層が存在していることで、フィルムを剥がしやすく、引き出しやすくすることができる。
【００４４】
（包装用ストレッチフィルムの巻体の巻き取り製造方法）
この実施形態の包装用ストレッチフィルムの巻体の巻き取り製造方法は、極薄（例えば、肉厚６〜３０μｍ程度）で、長尺になる長手方向の長さが３００ｍ〜５００ｍ程度、長手方向に直交する方向である横手方向の大きさ、すなわち、幅が３００ｍｍ〜５００ｍｍ程度の、長尺ストレッチフィルムを、図３図示のように、ロール状に巻き取る包装用ストレッチフィルムの巻体の巻き取り製造方法である。
【００４５】
この実施形態では、ロール状への巻き取りが行われる前の長尺ストレッチフィルムに対して前記長尺フィルムの長手方向に連続して肉厚の異なる部分を複数成形し、これを断面積比で１．２〜６倍に延伸させてロール状に巻き取ることで、積層されて巻層１３を形成するストレッチフィルム同士の間に長尺ストレッチフィルム１４の長手方向に連続して空気層１７ａ、等を、長尺フィルム１４の横手方向に複数存在させるようにしている。あるいは、前記長手方向で断続的に形成されている空気層１７ａ、等を、長尺ストレッチフィルムの横手方向で複数存在させるようにしている。
【００４６】
この場合、例えば、巻き取りが行われる前の長尺ストレッチフィルムに対して長尺フィルムの長手方向に凸部を形成することにより、長尺フィルムの長手方向に連続している肉厚の異なる部分を、横手方向に複数成形し、これを断面積比で１．２〜６倍に延伸させる工程を採用することができる。
【００４７】
例えば、巻き取りが行われる前の長尺ストレッチフィルムに対して部分的な延伸加工を施しながら長尺フィルムの長手方向に連続している肉厚の異なる部分を、横手方向に複数成形し、これを断面積比で１．２〜６倍に延伸させるものである。
【００４８】
図６に、このような製造工程に採用する装置の一例の概略構成を表す。
【００４９】
延伸前の長尺ストレッチフィルムの原反２２がブレーキ装置２１を備えている原反フィルムホルダー２０に装着されている。
【００５０】
原反フィルムホルダー２０から巻き出された長尺ストレッチフィルムは、一対の延伸ロール２５によって延伸される。一対の延伸ロール２５は、例えば、一対のエンボスロール、一対のギヤロール、一対の溝付きローラにすることができる。
【００５１】
一対の延伸ロール２５は、延伸ロール用駆動モータ２３と、一対の延伸ロール２５を連動させる駆動ギヤ２４によって駆動される。一対の延伸ロール２５におけるロール間での延伸比は、例えば、組み合わせギヤで設定される。
【００５２】
一対の延伸ロール２５が一対のギヤロールで構成される場合について図７を参照して説明する。
【００５３】
図７図示の一対のギヤロールは、高速側ギヤ２５ａと、低速側ギヤ２５ｂとが組み合わされているもので、例えば、それぞれのギヤロール外径を１５０ｍ／ｍφ、溝深さを１５ｍｍ、間隔（Ｐ）を１５ｍｍ、減速比１．０〜３．０に設定することができる。
【００５４】
図７中、符号Ａで示す箇所では、低速側ギヤ２５ｂの凸部で押さえられることで横手方向への延伸が起こりにくい。一方、図７中、符号Ｂで示す箇所では、高速側ギヤ２５ａで誘導されることで横手方向への延伸が生じる。この結果、図７の符号Ａで示す箇所を通過する長尺ストレッチフィルム部分は、図７の符号Ｂで示す箇所を通過する長尺ストレッチフィルム部分に比較して断面が厚く（肉厚）、図７の符号Ｂで示す箇所を通過する長尺ストレッチフィルム部分は、図７の符号Ａで示す箇所を通過する長尺ストレッチフィルム部分に比較して断面が薄く（肉薄）になる。
【００５５】
これによって、長尺ストレッチフィルムの長手方向に連続している肉厚の異なる部分を、横手方向に複数成形することができる。
【００５６】
一対のギヤロールを形成する高速側ギヤ２５ａ、低速側ギヤ２５ｂの面速、かみ込み（ＧＡＰ）により延伸比が大きくなる。
【００５７】
図６（ａ）図示の一対の円筒状の延伸ロール２５では、例えば、巻き取りが行われる前の長尺ストレッチフィルムが長手方向に挿通していく方向において、図６（ａ）図示のように、上流側と、下流側とに配置されている一対の円筒状の延伸ロール２５の中の下流側の延伸ローラ２５の方が、上流側の延伸ローラ２５よりも高い周速度で回転する構成にすることができる。
【００５８】
図８を参照して、エンボス加工で、長尺フィルムの長手方向に断続的に肉厚の異なる部分を、横手方向で複数成形する一例を説明する。
【００５９】
図８図示の一対のギヤロールは、一対のエンボスロール２５ｃ、２５ｄによって形成されている（図８（ａ））。エンボスロール２５ｃ、２５ｄが合致したときには図８（ｂ）図示のようになり、エンボスロール２５ｃ、２５ｄがずれたときには図８（ｃ）図示のようになって、エンボスの凹凸により、長尺ストレッチフィルムの表面に肉厚の異なる部分が、長尺フィルムの長手方向に断続的に、長尺フィルムの横手方向で複数成形される。
【００６０】
図９を参照して、エンボスギヤ加工で、長尺ストレッチフィルムの長手方向に断続的に肉厚の異なる部分を、横手方向で複数成形する一例を説明する。
【００６１】
図９図示のエンボスギヤ加工によれば、長手方向（回転方向）への延伸がギヤの凹凸によって行われ、切欠き溝部は延伸されず、肉厚の部分となる。
【００６２】
上述したようにして、長手方向に連続している肉厚の異なる部分が、横手方向で複数成形された長尺フィルム、あるいは、長手方向に断続的に肉厚の異なる部分が、横手方向で複数成形された長尺フィルムは、引き続き、フィルム拡張部に送られる。
【００６３】
図６図示の実施形態では、まず、一対の延伸ロール２５の下流側に配置されているしわ取り及びフィルム拡張ガイドロール２６によってフィルム拡張が行われる。
【００６４】
図示の実施形態のしわ取り及びフィルム拡張ガイドロール２６は、中央の外径が連続的に小さくなっている複数のつつみ状ゴムロールによって構成されている。
【００６５】
しわ取り及びフィルム拡張ガイドロール２６の下流側には引き続いて一対の延伸ロール２７が配置されている。一対の延伸ロール２７は、例えば、ゴムロールであって、図６（ｂ）の上側の低速側ロール、下側の高速側ロールからなり（ロール間の隙間は、例えば、１〜５ｍｍ）、長手方向への延伸が行われる。
【００６６】
ここでの長手方向への延伸は、例えば、一対の延伸ロール２５での処理が、エンボスロールによるものであって、長尺フィルムの長手方向に断続的に肉厚の異なる部分を、横手方向で複数成形するものである場合、このような処理が行われた後の長尺フィルムを長手方向に延伸させるものになる。
【００６７】
また、一対の延伸ロール２５での処理が、エンボスロール以外のものによる場合、一対の延伸ロール２７での延伸処理は、長手（縦）方向（ＭＤ）、二軸横手方向（ＴＤ）への物性を最適にするための延伸処理になる。
【００６８】
一対の延伸ロール２７は、駆動モータ２９によって回転駆動され、一対の延伸ロール２７の下流側に位置している、駆動連動ギヤ２８によって連動される一対のニップロール３０によって、長手方向への延伸が行われた長尺フィルムが引き取られていく。図中、符号３１は巻き取り軸、紙管ホルダーである。
【００６９】
その後、巻き取り駆動モータ３３で駆動される巻き取りロール３２に巻き取られていく。
【００７０】
このようにして、図３〜図５を用いて説明したこの実施形態の包装用ストレッチフィルムの巻体１１が巻き取り製造される。
【００７１】
プラスチックは、延伸させることにより収縮という現象が起きる。これを利用して、プラスチックフィルムに筋を入れ、これを延伸することで、筋部（厚い部分）と筋の谷間（薄い部分）での延伸後の収縮差を利用してプラスチックフィルムにちじれ、皺を発生させ、このようなプラスチックフィルムから作成する紐にボリューム感、ソフト感を持たせる技術は公知である（非特許文献１）。
【００７２】
上述した、巻き取りが行われる前の長尺ストレッチフィルムに対して部分的な延伸加工を施しながら長尺ストレッチフィルムの長手方向に連続している肉厚の異なる部分を、横手方向に複数成形する工程は、この技術を利用するものである。
【００７３】
こうして、ロール状への巻き取りが行われる前の長尺ストレッチフィルムに対して長尺ストレッチフィルムの長手方向に連続して肉厚の異なる部分を横手方向で複数成形し、これを断面積比で１．２〜６倍に延伸させてロール状に巻き取ることで、積層されて巻層１３を形成するストレッチフィルム同士の間に長尺ストレッチフィルム１４の長手方向に連続して空気層１７ａ、等を、横手方向で複数存在させるようにしたものである。
【００７４】
図６〜図９を参照して上述したように、一対のエンボスロール、一対のギヤロール、一対の溝付きローラ一などからなる一対の延伸ロール２５による延伸、しわ取り及びフィルム拡張ガイドロール２６によるフィルム拡張、一対の延伸ロール２７による長手方向への延伸によって、例えば、原反フィルム繰り出し側に繰り出し回転可能にセットされている従来の包装用ストレッチフィルムの巻体に巻かれている従来の長尺ストレッチフィルムが肉厚２３μｍ、幅２５０ｍｍであるときに、幅方向に２倍、長手方向に２倍に延伸し、肉厚６μｍ、幅５００ｍｍで、長手方向に連続している肉厚の異なる部分が横手方向に複数成形されている長尺ストレッチフィルムにし、これを、巻取機で巻き取って、図３〜図５を用いて説明したこの実施形態の包装用ストレッチフィルムの巻体１１を巻き取り製造することができる。
【００７５】
また、上述したように、実施形態の包装用ストレッチフィルムの巻体１１を巻き取り製造すると、筒状の巻芯に巻き付けたロール状の包装用ストレッチフィルムの巻体の側縁部（図５に符号１８ａ、１８ｂ、１８ｃ、１８ｄで示す部分）は延伸を受けずに、原反フィルム繰り出し側に繰り出し回転可能にセットされている従来の包装用ストレッチフィルムの巻体に巻かれている従来の長尺ストレッチフィルムの肉厚をほぼ維持できる。そこで、筒状の巻芯に巻き付けたロール状の包装用ストレッチフィルムの巻体の側縁部の傷、ダメージなどにより、引き出して使用する際に破断が生じるおそれを減少させることができる。
【００７６】
以上、この発明の実施形態を添付図面を参照して説明したが、この発明は、上述した実施形態に限られず、特許請求の範囲の記載から把握される技術的範囲において種々に変更可能である。
【００７７】
例えば、上述したように、ロール状への巻き取りが行われる前の長尺ストレッチフィルムに対して長尺ストレッチフィルムの長手方向に連続して肉厚の異なる部分を複数成形することに替えて、長手方向に断続して肉厚の異なる部分を複数成形するようにすることができる。
【００７８】
この場合には、例えば、巻き取りが行われる前の長尺ストレッチフィルムに対してエンボス加工を行ったり、巻き取りが行われる前の長尺ストレッチフィルムに対して所定形状の押型を押圧することなどによって、長尺フィルムの長手方向に断続して肉厚の異なる部分を複数成形することができる。
【符号の説明】
【００７９】
１、１１  包装用ストレッチフィルムの巻体
２  円筒状の中空の巻き芯
３、１３  巻層
４、１４  長尺ストレッチフィルム
５    包装用ストレッチフィルムの長手方向における先端側
１４ａ  一番外側（外径側）に巻かれている長尺ストレッチフィルム
１４ｂ  最外側（最外径側）長尺ストレッチフィルムから一層内径の長尺ストレッチフィルム
１５ｄ、１５ｅ、１５ｆ、１５ｇ、１６ｄ、１６ｅ、１６ｆ、１６ｇ  薄肉部
１５ａ、１５ｂ、１５ｃ、１６ａ、１６ｂ、１６ｃ  厚肉部
１７ａ、１７ｂ、１７ｃ、１７ｄ  空気層
１８ａ、１８ｂ  側縁部
２０  原反フィルムホルダー
２１  ブレーキ装置
２２  延伸前の長尺ストレッチフィルムの原反
２３  延伸ロール用駆動モータ
２４  駆動ギヤ
２５  一対の延伸ロール
２５ａ  高速側ギヤ
２５ｂ  低速側ギヤ
２５ｃ、２５ｄ  一対のエンボスロール
２６  しわ取り及びフィルム拡張ガイドロール
２７  一対の延伸ロール
２８  駆動連動ギヤ
２９  駆動モータ
３０  一対のニップロール
３１  巻き取り軸、紙管ホルダー
３３  巻き取り駆動モータ
３２  巻き取りロール
【図１】
2019069801.tif 000003
【図２】
2019069801.tif 000004
【図３】
2019069801.tif 000005
【図４】
2019069801.tif 000006
【図５】
2019069801.tif 000007
【図６】
2019069801.tif 000008
【図７】
2019069801.tif 000009
【図８】
2019069801.tif 000010
【図９】
2019069801.tif 000011